(57)【特許請求の範囲】
【請求項１】
導電性層を挟んで樹脂層を積層した食品包装用シートを熱溶着して形成された食品密封容器のピンホール不良検査方法において、接地電極を前記食品密封容器を形成する前記食品包装用シートの導電性層に接触させ、前記食品密封容器を搬送手段によって搬送しながら前記接地電極と食品密封容器の表面に接触もしくは接近させた検出電極との間に電圧を印加して放電電流の有無を検出することを特徴とする食品密封容器のピンホール不良検査方法。
【請求項２】
前記接地電極を前記食品密封容器の縁端部に露出する導電性層に接触させることを特徴とする請求項１記載の食品密封容器のピンホール不良検査方法。
【請求項３】
前記検出電極を前記食品密封容器の両面に各々接触もしくは接近させ、食品密封容器の両面のピンホール不良を同時に検査することを特徴とする請求項１又は２記載の食品密封容器のピンホール不良検査方法。
【請求項４】
導電性層を挟んで樹脂層を積層した食品包装用シートを熱溶着して形成された食品密封容器のピンホール不良検査装置において、接地電極と、検出電極と、前記両電極に接続された電源と電流検出器と、前記食品密封容器を搬送する搬送手段とを有し、前記接地電極は前記食品密封容器の縁端部に接触可能に配置され、前記検出電極は前記食品密封容器の表面に接触もしくは接近可能に配置されており、前記食品密封容器を前記搬送手段によって搬送しながら前記電源により前記接地電極と前記検出電極との間に電圧を印加した時に流れる放電電流を前記電流検出器により検出することによりピンホール不良を検出することを特徴とする食品密封容器のピンホール不良検査装置。
【請求項５】
導電性層を挟んで樹脂層を積層した食品包装用シートを熱溶着して形成された食品密封容器のピンホール不良検査装置において、前記食品密封容器を搬送する搬送手段と、前記搬送手段の側方に前記食品密封容器の縁端部に接触可能に配置された接地電極と、前記搬送手段によって搬送される前記食品密封容器の両面に各々接触もしくは接近可能に配置された一対の検出電極と、前記接地電極と前記検出電極とに接続された電源及び電流検出器と、前記搬送手段によって搬送される前記食品密封容器が所定位置を通過したことを検出する容器検出手段と、前記容器検出手段からの検出信号を受けて各容器毎に検査期間を設定する検査タイミング設定手段とを含み、前記検査タイミング設定手段が設定する検査期間内に前記電流検出器により検出される電流が閾値を超えて流れたときピンホール不良を検出することを特徴とする食品密封容器のピンホール不良検査装置。
【請求項６】
前記一対の検出電極は小径部とその両端に大径部を有するローラ電極により構成されて対向配置され、前記大径部は電気絶縁性であって前記食品密封容器の両側縁の熱溶着シール部を挟んで案内することを特徴とする請求項５記載の食品密封容器のピンホール不良検査装置。
【発明の詳細な説明】
【０００１】
【産業上の利用分野】
本発明は、食品包装用シート及び食品密封容器のピンホール不良検査方法及び装置に関し、特に導電性層を挟んで樹脂層を積層した食品包装用シートあるいはその食品包装用シートを使用した食品密封容器のピンホール不良検査方法及び装置に関するものである。
【０００２】
【従来の技術】
レトルト食品などの各種食品の包装用シートとして、アルミニウム箔などの金属箔（導電性層）とその金属箔を挟んで積層された樹脂フィルム（樹脂層）とによるラミネート構造の食品包装用シートが知られており、またこの食品包装用シートの樹脂層を熱溶着して形成された高気密性の食品密封容器が知られている。
【０００３】
このような食品密封容器においては、気密性を保証するためにピンホール不良の検査が行われる。
食品密封容器のピンホール不良検査方法として、特公昭５０−６９９８号公報に示されているように、食品密封容器の電気絶縁性表面に表面積が大きい接地電極を接触させ、食品密封容器を挟んで表面積が小さい検出電極を接地電極に対向させて食品密封容器の電気絶縁性表面に接触させ、検出電極と接地電極との間に高周波電圧を印加し、放電電流の有無よりピンホール不良を検出する方法が知られている。またこの方法を使用したピンホール不良検査装置が特開昭６２−７０７２５号公報に示されている。
【０００４】
この食品密封容器のピンホール不良検査方法及び装置は、高周波電圧の印加によるコンデンサ結合を利用するものであり、検出電極と接地電極との表面積差により接地電極と容器内の内容物との間の静電容量を、検出電極と容器内の内容物との間の静電容量に対して無視できるものとし、内容物による電気抵抗と、検出電極と内容物との間の静電容量との直列回路を等価回路として、検出電極と接触する食品密封容器にピンホールがあれば、検出電極と内容物との間の静電容量部による放電間隙に閃絡が発生する高周波電電圧を電極間に印加し、その電圧印加回路に放電電流が流れか否かを検出することを検査原理としている。
【０００５】
【発明が解決しようとする課題】
上述の食品密封容器のピンホール不良検査方法では、その検査原理により、接地電極の表面積に対して検出電極の表面積が充分に小さいと云う条件が必須である。このことは食品密封容器が豆腐用の容器のように電気絶縁性、換言すれば誘電性の合成樹脂材料だけによるものであれば、電極形状によりその条件を満たすことができる。しかし、レトルト食品などの食品密封容器のように、食品密封容器が金属箔による導電性層を含んだラミネート構造の食品包装用シートによるものである場合には、電極形状の如何に拘らずその条件を満たすことができない。
【０００６】
このため、金属箔による導電性層を含んだラミネート構造の食品包装用シートによる食品密封容器については、上述のピンホール不良検査方法を適用できない。
本発明は、上述の問題点を解消すべくなされたものであり、金属箔を挟んだラミネート構造の食品包装用シートを用いた食品密封容器のピンホール不良検査を能率よく、しかも高い確実性をもって行うことができ、生産ラインでの全品検査に使用され得る食品密封容器のピンホール不良検査方法及び装置を提供することを目的とする。
【０００７】
本発明は、また、金属箔を挟んだラミネート構造の食品包装用シートのピンホール不良検査を行うための方法及び装置を提供することをも目的とする。
【０００８】
【課題を解決するための手段】
前記目的を達成するために、本発明による食品包装用シートのピンホール不良検査方法は、接地電極をシート端面に露出する導電性層に接触させ、該接地電極とシート表面に接触もしくは接近させた検出電極との間に電圧を印加して放電電流の有無を検出することを特徴とする。
【０００９】
本発明による食品密封容器のピンホール不良検査方法は、接地電極を食品密封容器を形成するシートの導電性層に接触させ、該接地電極と食品密封容器の表面に接触もしくは接近させた検出電極との間に電圧を印加して放電電流の有無を検出することを特徴とする。
接地電極と導電性層との接触は、食品密封容器の縁端部に導電性層が露出している部分で行うことができる。また、検出電極を食品密封容器の表裏両面に対して設置すると、食品密封容器の両面のピンホール不良を同時に検査することができる。
【００１０】
本発明による食品密封容器のピンホール不良検査装置は、接地電極と、検出電極と、前記両電極に接続された電源と電流検出器とを有し、接地電極は食品密封容器の縁端部に接触可能に配置され、検出電極は食品密封容器の表面に接触もしくは接近可能に配置されており、電源により接地電極と検出電極との間に電圧を印加した時に流れる放電電流を電流検出器により検出することによりピンホール不良を検出することを特徴とする。
【００１１】
製造工程で検査を行うのに適した本発明による食品密封容器のピンホール不良検査装置は、食品密封容器を搬送する搬送手段と、搬送手段の側方に食品密封容器の縁端部に接触可能に配置された接地電極と、搬送手段によって搬送される食品密封容器の両面に各々接触もしくは接近可能に配置された一対の検出電極と、接地電極と検出電極とに接続された電源及び電流検出器と、搬送手段によって搬送される食品密封容器が所定位置を通過したことを検出する容器検出手段と、容器検出手段からの検出信号を受けて各容器毎に検査期間を設定する検査タイミング設定手段とを含み、検査タイミング設定手段が設定する検査期間内に電流検出器により検出される電流が閾値を超えて流れたときピンホール不良を検出することを特徴とする。
【００１２】
検出電極としてはブラシ電極、ローラー電極、平板電極等を用いることができるが、この検出電極は、食品密封容器の側端面に露出し、接地電極と接触している導電性層と短絡してはならない。検出電極としてブラシ電極を用いる場合には、検出電極付近で食品密封容器の端面を覆う構造とすると、この短絡を確実に防止することができる。また、一対の検出電極を、小径部とその両端に大径部を有する一対のローラ電極で構成すると、大径部を電気絶縁性として検査中の食品密封容器の両側縁の熱溶着シール部を挟んで案内することができ、検出電極と食品密封容器表面の位置関係が安定するので、ピンホール検査の信頼性を高めることができる。
【００１３】
電源としては、直流電源、交流電源、高周波電源等いずれの電源も使用可能であるが、実用的には周波数が数ｋＨｚ程度で電圧が数ｋＶ程度の交流電源を用いるのが便利である。電源の周波数あるいは電圧は、ピンホール検査を行う食品包装用シートあるいは食品密封容器に使用されている金属箔を挟んだラミネートシートの材質や膜厚、あるいは検出すべきピンホールの大きさ等に応じて、ピンホール不良が存在するときのみ閾値を超える放電電流が流れるような値に設定される。
【００１４】
【作用】
本発明では、接地電極をシート端面に露出する導電性層、あるいは容器端面に露出する導電性層に接触させることにより、食品包装用シートあるいは食品密封容器の導電性層自体を実質的な接地電極板として機能させる。
この接地電極と、シートあるいは容器表面に接触もしくは接近させた検出電極との間には、ピンホールが存在しなければ放電電流が流れず、ピンホールが存在すると閾値を超える放電電流が流れるように電源電圧等が設定されているため、接地電極と検出電極との間の放電電流の有無からピンホール不良を検出することができる。
【００１５】
そして、搬送される食品密封容器の通過を検出して検査期間を設定することにより、食品密封容器の前縁部あるいは後縁部端面に露出するシート導電層が搬送中に検出電極に接触することによって流れることがある検出信号を排除して、ピンホール不良による検出信号のみを確実に検出することができる。
また、接地電極を食品密封容器の縁端部に露出する導電性層に接触させて接地電極と導電性層とを導通状態にすることにより、生産ラインで搬送手段により搬送されている食品密封容器を停止させることなくピンホール不良検査を連続的に行うことができ、食品密封容器の生産性を低下させることなくピンホール不良検査を行うことができる。
【００１６】
【実施例】
以下、本発明の実施例について添付した図を参照して詳細に説明する。
図１、図２は本発明による食品包装用シートのピンホール不良検査方法を実施する装置の一実施例を示している。本実施例の検査装置は、食品包装用シートＳのラミネート製造ラインにおけるシート巻き取り部１の手前に設けられ、食品包装用シートＳの両側端面に摺接する接地電極３と、食品包装用シートＳを挟んで対向し食品包装用シートＳを幅方向に横切って延在するガイドローラ５及びローラ状の検出電極７とを有している。検出電極７には高圧電源９が接続されており、高圧電源９と検出電極７とを導通接続する配線の途中に流れる電流の電流値を検出する電流計１１が接続されている。
【００１７】
電流計１１には制御装置１３が接続されている。制御装置１３は、電流計１１により検出される電流値が所定の閾値を超えたか否かを判別し、電流計１１により検出される電流値が前記閾値を超えれば、食品包装用シートＳの巻き取り速度に応じたタイミングでマーカー１５へ動作命令を出力する。
食品包装用シートＳは、図３に示されているように、アルミニウム箔などの金属箔による導電性層Ｓａの一方の面にポリエチレン樹脂フィルムによる電気絶縁性の樹脂表層Ｓｂに積層され、導電性層Ｓａの他方の面にポリプロピレン樹脂フィルムによる電気絶縁性の熱溶着用樹脂層Ｓｃに積層された三層ラミネート構造をなし、両側端面に導電性層Ｓａの端縁が露出している。
【００１８】
接地電極３は、食品包装用シートＳの両側端面に露出している導電性層Ｓａの端面に摺接し、導電性層Ｓａと直接的に導通状態になる。これにより導電性層Ｓａ自体が実質的な接地電極板として作用する。
高圧電源９は、接地電極３と検出電極７との間に数ｋＶ、数ｋＨｚ程度の高圧電圧を印加する。電源９の電圧は、シートＳにピンホールが存在しなければ放電電流が流れず、ピンホールが存在するとき閾値を超える放電電流が流れるように設定されている。従って、検出電極７と接触している食品包装用シートＳにピンホールがなければ、樹脂表層Ｓｂの電気絶縁作用により検出電極７と導電性層Ｓａとの間で放電は生じない。そのため、電流計１１により検出される電流値が閾値を超えることはない。
【００１９】
これに対し、検出電極７と接触している食品包装用シートＳにピンホールがあると、そのピンホールにより樹脂表層Ｓｂの電気絶縁作用が損なわれ、検出電極７と導電性層Ｓａとの間で放電が生じ、電流計１１により検出される電流値が閾値を超えることになる。この電流値変化より食品包装用シートＳにピンホールがあることが判別され、制御装置１３が所定のタイミングをもってマーカー１５へ動作命令を出力する。これにより食品包装用シートＳのピンホール発生部分にマーカー１５によってインク等によるマークが付けられる。
【００２０】
なお、上述の実施例では、検出電極７は食品包装用シートＳと接触しているが、検出電極７を食品包装用シートＳに対して微小エアギャップをおいて接近配置することもできる。
図４は、本発明による食品密封容器のピンホール不良検査方法の説明図である。食品密封容器Ａは、上述の食品包装用シートＳを、その熱溶着用樹脂層Ｓｃを内側にして二枚重ねにし、周縁部にて重なり合っている熱溶着用樹脂層Ｓｃを熱溶着することにより、内部に食品を収容して袋状に形成されている。図５は、食品密封容器Ａの具体例を示している。この食品密封容器Ａは四角形をしていて全周縁部を熱溶着による溶着代ｂとされ、溶着代ｂが食品密封容器Ａの縁端部をなし、その内側が気密構造の食品収容部ｃとなっている。
【００２１】
図４に戻って説明すると、食品密封容器Ａの溶着代ｂの端面に導電性層Ｓａの端面が露出しており、この端面に接地電極２１が直接導通状態で接触している。これによりシートＳの導電性層Ｓａ自体が実質的な接地電極板として作用する。食品収容部ｃの表面には検出電極２３が接触しており、高圧電源２５により接地電極２１と検出電極２３との間に数ｋＨｚ、数ｋＶ程度の高圧電圧を印加する。電源９の電圧は、シートＳにピンホールが存在しなければ放電電流が流れず、ピンホールが存在するとき閾値を超える放電電流が流れるように設定されている。従って、この場合も検出電極２３と接触している食品収容部ｃの食品包装用シートＳにピンホールがなければ、樹脂表層Ｓｂの電気絶縁作用により検出電極２３と導電性層Ｓａとの間で閾値を超える放電電流は生じない。
【００２２】
これに対し、検出電極２３と接触している食品収容部ｃの食品包装用シートＳにピンホールｐがあると、そのピンホールｐにより樹脂表層Ｓｂの電気絶縁作用が損なわれ、検出電極２３と導電性層Ｓａとの間で放電が生じ、電流計２７により検出される電流値が閾値を超えることになる。この電流値変化より食品包装用シートＳにピンホールがあることが判別される。
【００２３】
検出電極２３は食品収容部ｃの上下両面に各々に対向して配置するのが好ましく、その場合には食品密封容器Ａの両面のピンホール不良を同時に検査することができる。本実施例においても、検出電極２３を食品密封容器Ａに対して接触させず、微小エアギャップをおいて接近配置することもできる。
また接地電極を針状電極により構成し、食品密封容器Ａの食品収容部ｃの密封性を阻害することがない溶着代ｂに接地電極を突き刺すことにより、接地電極を食品密封容器Ａの導電性層Ｓａと導通接続させることもできる。
【００２４】
図６〜図８は、本発明による食品密封容器のピンホール不良検査装置の一実施例を示している。図６は装置上面図、図７は側面図、図８は図６において検出位置に食品密封容器が位置する状態のＡ−Ａ断面図である。
本実施例では、食品密封容器Ａを搬送するベルトコンベア装置４７の両側にガイド部材４９が設けられている。ガイド部材４９はプラスチックスなどの電気絶縁材料により構成され、ベルトコンベア装置４７により水平搬送される食品密封容器Ａの両側の溶着代ｂを受け入れるスリット状のガイド溝５１を有している。ガイド溝５１の溝底部に接地電極３１が固定配置されており、ガイド溝５１の入口部は食品密封容器Ａの溶着代ｂを接地電極３１の配置に的確に導くために上下左右方向に拡開されたテーパ形状になっている。これにより食品密封容器Ａの両側の溶着代ｂの端面に露出している導電性層Ｓａの端面がベルトコンベア装置４７により水平搬送されている接地電極３１と確実に導通接触する。ガイド溝５１の入口部近傍には当該部分を食品密封容器Ａの先端縁が通過したことを検出する容器センサ５３が設けられている。
【００２５】
ベルトコンベア４７の上方には、食品密封容器Ａの上面に接触可能にブラシ状の検出電極３３が配置されており、接地電極３１と検出電極３３との間には、数ｋＨｚ、数ｋＶ程度の電圧を印加する高周波高圧電源３５が接続されている。電気絶縁材料により構成されたガイド部材４９は、ブラシ状の検出電極３３から食品密封容器Ａの縁部を隠して、検出電極３３が縁端部に露出する導電性層を介して接地電極３１と短絡することを防止する機能も有している。
【００２６】
高周波高圧電源３５と検出電極３３とを導通接続する配線の途中には、そこ流れる電流の電流値を検出する電流検出器３７と数ＭΩ程度の保全抵抗３９とが接続されている。電流検出器３７にはＤＣアンプ３９と直流変換器４３が順に接続されており、電流検出器３７が出力する電流値検出信号は、ＤＣアンプ４１によって増幅され、直流変換器４３により直流電流値を示す信号に変換されて演算器４５に入力される。
【００２７】
演算器４５は、直流電流値が検出電極３３と接地電極３１との間の放電による放電電流に相当する所定の閾値を超えたか否かを判別し、直流電流値が前記閾値を超えれば、ピンホール不良品として食品密封容器Ａを排出する信号を図示されていない不良品排出シュータ制御部へ出力する。
食品密封容器Ａはベルトコンベア装置４７により搬送されており、ブラシ状の検出電極３３は食品密封容器Ａの上面に摺接し、接地電極３１は、食品密封容器Ａの溶着代ｂの端面に露出している導電性層Ｓａの端面に摺接し、導電性層Ｓａと導通状態になる。これにより導電性層Ｓａ自体が実質的な接地電極板として作用する。
【００２８】
検出電極３３と接触している食品密封容器Ａの上面にピンホールがなければ、樹脂表層Ｓｂの電気絶縁作用により検出電極７と導電性層Ｓａとの間で放電は生じない。これに対して、検出電極３３と接触している食品密封容器Ａにピンホールがあると、そのピンホールにより樹脂表層Ｓｂの電気絶縁作用が損なわれ、検出電極３３と導電性層Ｓａとの間で放電が生じ、電流検出器３７により検出される電流値が閾値を超えることになる。この場合には、演算器４５が不良品排出シュータ制御部へ排出信号を出力する。
【００２９】
図９は、図６〜図８に示したピンホール不良検査装置の制御系を示している。この制御系は容器センサ５３からの検出信号を入力する検査タイミング設定部５５を含んでいる。検査タイミング設定部５５は、容器センサ５３からの検出信号を受けて、ベルトコンベア４７の搬送速度、センサ５３の位置から検出電極３３までの距離、食品密封容器Ａの溶着代ｂの幅等によって決まる検査期間を各容器毎に設定し、この検査期間内における電流比較結果のみを有効とする。
【００３０】
これにより、検出電極３３が、食品密封容器Ａの搬送過程で、食品密封容器Ａの前縁あるいは後縁の溶着代ｂの端面に露呈している導電性層Ｓａと接触することによって高騰する電流値が閾値を超えてもピンホール不良と判定されることが避けられる。
図１０は、直流変換器４３の出力例を示している。演算器４５は、この出力電圧Ｖを所定の電圧閾値Ｖｓと比較することによりピンホール不良を検出する。図１０において、符号Ｔにより示されている期間が検査タイミング設定部５５によって設定される検査期間であり、この検査期間Ｔ内において直流変換器４３の出力電圧Ｖが所定の閾値Ｖｓを超えれば、ピンホール不良と判定される。
【００３１】
従って、図１０にて、符号Ｐｐにより示されているピンホール不良に起因する電圧ピークのみがピンホール不良として捉えられ、検出電極３３が食品密封容器Ａの前縁の溶着代ｂの端面に露出している導電性層Ｓａに接触したことによる電圧ピークＰａ、あるいは後縁の溶着代ｂの端面に露出している導電性層Ｓａに接触したことによる電圧ピークＰｂは判定のための比較対象から除外される。そのため、電圧ピークＰａ，Ｐｂが電圧閾値Ｖｓを超えてもピンホール不良と判定されることはなく、誤判定を防止することができる。
【００３２】
図１１〜図１３は本発明による食品密封容器のピンホール不良検査装置の他の実施例を示している。なお、図１１〜図１３において、図６〜図８に対応する部分は図６〜図８に付した符号と同一の符号を付してその説明を省略する。
本実施例においては、直列に配置された２つの容器搬送用ベルトコンベア装置５７、５９が設けられており、ベルトコンベア装置５７と５９との接続部に上下一対のローラ状の検出電極３３が設けられている。下側の検出電極３３はフレーム６１より所定の高さ位置にて回転可能に支持されており、上側の検出電極３３は、フレーム６１に形成された上下方向の長孔６３に回転可能に係合し、ばね６５のばね力により下側の検出電極３３に対して押し付けられている。
【００３３】
この上下一対の検出電極３３は、各々導電性の小径部３３ａとその両端に電気絶縁性の大径部３３ｂを有し、上下の小径部３３ａ間に食品密封容器Ａの食品収容部ｃが通過する空間を画定し、上下の大径部３３ｂによって食品密封容器Ａの両側縁の熱溶着シール部、即ち溶着代ｃを挟む。
容器搬送用ベルトコンベア装置５７の終端近傍の両側に接地電極３１を有するガイド部材４９が配置されており、また容器搬送用ベルトコンベア装置５９の始端近傍の両側にも接地電極３２が配置されている。
【００３４】
この実施例では、容器搬送用ベルトコンベア装置５７によって水平搬送される食品密封容器Ａの両側の溶着代ｂがガイド部材４９のガイド溝５１に係合し、この溶着代ｂがガイド溝５１を通過しつつ溶着代ｂの導電性層Ｓａの端面が接地電極３１あるいは３２と導通接触し、そして食品密封容器Ａは上下の一対の検出電極３３間に進入する。食品密封容器Ａは両側の溶着代ｂを上下の大径部３３ｂによって挟まれ、食品収容部ｃが小径部３３ａ間を通過しつつその上下両面が各々上下の小径部３３ａに摺接する。これにより食品密封容器Ａの上下両面のピンホール不良検査が同時に行われる。
【００３５】
【発明の効果】
本発明によると、金属箔による導電性層を含んだラミネート構造の食品包装用シートにおけるピンホール不良検査を能率よく、しかも高い確実性をもって行うことができる。
また本発明によると、金属箔による導電性層を含んだラミネート構造の食品包装用シートによる食品密封容器のピンホール不良検査を能率よく、しかも高い確実性をもって行うことができ、生産ラインでの全品検査が可能になる。
【図面の簡単な説明】
【図１】食品包装用シートのピンホール不良検査方法の一実施例を説明する概略側面図。
【図２】図１の要部の平面図。
【図３】食品包装用シートの端部と接地電極の関係を示す図。
【図４】食品密封容器のピンホール不良検査方法を説明する断面概略図。
【図５】（ａ）は食品密封容器の一例を示す平面図、（ｂ）はその縦断面図。
【図６】食品密封容器のピンホール不良検査装置の一実施例を示す概略平面図。
【図７】図６に示した装置の概略側面図。
【図８】図６に示した装置の概略断面及び信号検出系の概略を示す図。
【図９】食品密封容器のピンホール不良検査装置の制御系を示すブロック線図。
【図１０】食品密封容器のピンホール不良検査装置における検出信号の一例を示す図。
【図１１】食品密封容器のピンホール不良検査装置の他の実施例を示す平面図。
【図１２】図１１に示した装置の概略側面図。
【図１３】食品密封容器のピンホール不良検査装置にて使用される検出電極一実施例を示す図。
【符号の説明】
１…シート巻き取り部、３…接地電極、７…検出電極、９…電源、１１…電流計、１３…制御装置、１５…マーカー、２１…接地電極、２３…検出電極、２５…電源、２７…電流計、３１，３２…接地電極、３３…検出電極、３５…電源、３７…電流検出器、４５…演算器、４９…ガイド部材、５３…容器センサ、５５…検査タイミング設定部、６５…ばね、Ｓ…食品包装用シート、Ｓｂ…樹脂表層、Ｓａ…導電性層、Ｓｃ…熱溶着用樹脂層、３Ａ…食品密封容器、ｂ…溶着代、ｃ…食品収容部
【図１】
0003643400.tif 000002
【図２】
0003643400.tif 000003
【図３】
0003643400.tif 000004
【図４】
0003643400.tif 000005
【図５】
0003643400.tif 000006
【図６】
0003643400.tif 000007
【図７】
0003643400.tif 000008
【図８】
0003643400.tif 000009
【図９】
0003643400.tif 000010
【図１０】
0003643400.tif 000011
【図１１】
0003643400.tif 000012
【図１２】
0003643400.tif 000013
【図１３】
0003643400.tif 000014